(57)【要約】      （修正有）【課題】アングルコネクタの各自由端部は、端部を能動固定要素により、脱着可能に接続することができる。【解決手段】アングルコネクタ１００は、支持形材１０、２０のキャビティに挿入される、互いに対して垂直に整合される２つの自由端部１１０、１２０を有し、アングルコネクタの全ての自由端部１１０、１２０に固定の受動手段１３１が設けられ、支持形材１０、２０の１つの外面から、アングルコネクタのそれぞれの端部を相補的な能動固定要素４０、４４により関連付けられた支持形材に脱着可能に接続することができる。互いに対して垂直に整合される自由端部間において、形材要素１１１、１１２を伴うコーナー要素が設けられ、形材要素１１１、１１２は、互いに対して垂直に配置されるコーナー要素の２つの外面に配される支持形材と適合し、コーナー要素１１０の関連付けられた表面５５の高さまでそれぞれ到達する。【選択図】図２
2019032076.tif 000002
【特許請求の範囲】
【請求項１】
支持形材（１０、２０）の関連付けられたキャビティに挿入される、互いに対して垂直に整合される２つの自由端部（１１０、１２０；２１０、２２０；３１０、３２０）を有するアングルコネクタ（１００；２００；３１０、３２０、３３０）であって、前記アングルコネクタの各前記自由端部（１１０、１２０；２１０、２２０；３１０、３２０）は、固定の受動手段（１３１、１３２、１３３；２３１、２３２、２３３；３２１、３３２、３２３；３３１、３３２、３３３）を備え、前記固定の受動手段を介して、前記支持形材（１０、２０）の１つの外面から、前記アングルコネクタのそれぞれの前記端部を相補的な能動固定要素（３０、３４；４０、４４）により関連付けられた前記支持形材に脱着可能に接続することができ、
互いに対して垂直に整合される前記自由端部間において、形材要素（１１１、１１２）を伴うコーナー要素（１１０；２１０；３１０）が設けられ、前記形材要素は、互いに対して垂直に配置される前記コーナー要素の２つの外面に配される前記支持形材と適合し、前記コーナー要素（１１０；２１０；３１０）の関連付けられた表面（５５）の高さまでそれぞれ到達することを特徴とする、アングルコネクタ。
【請求項２】
請求項１に記載のアングルコネクタであって、前記コーナー要素（１１０；２１０；３１０）を越えて延在する部分における前記アングルコネクタの前記自由端部は、前記支持形材（１０、２０）の関連付けられた自由端部における相補的な凹部に形状嵌合によって統合される直方形の外形を有する本体を特徴とすることを特徴とする、アングルコネクタ。
【請求項３】
請求項２に記載のアングルコネクタであって、前記アングルコネクタの少なくとも１つの前記自由端部は、円筒マントルに円錐キャビティ（２３３；３３３）を備える、前記直方形の本体（２３１；３３１）を越えて突出するボルト（２３２；３３２）の形態の固定の受動手段（２３１、２３２、２３３；３３１、３３２、３３３）を形成し、前記ボルト（２３２；３３２）は、スリーブ（３０）と関連し、前記スリーブは、前記ボルト（２３２；３３２）を収納する横断ボア（３１）と、前記スリーブ（３０）を前記支持形材に取り付けるための前記スリーブ（３０）の自由端部における雌ねじ部であって、前記支持形材を、前記雌ねじ部にねじ込むことができる円錐端部（３５）を有する係止ねじ（３４）によって前記コーナー要素（１１０；２１０；３１０）に対して締め付けることができるようになっている、雌ねじ部とを有することを特徴とする、アングルコネクタ。
【請求項４】
請求項２に記載のアングルコネクタであって、前記アングルコネクタの少なくとも１つの前記自由端部は、前記直方形の本体（１３１；３２１）内に形成される、それぞれの前記支持形材に構成される係止部（４０）と関連付けられた凹部（１３３；３２３）を伴う、係止スロット（１３２；３２２）の形態の固定の受動手段（１３１、１３２、１３３；３２１、３２２、３２３）を形成し、前記凹部（１３３；３２３）に係合する前記係止部（４０）の係止フックを、前記係止部（４０）のアクチュエーター（４４）を作動させることで後方に引くことができ、前記支持形材を前記コーナー要素（１１０；２１０；３１０）に対して締め付けることができるようになっていることを特徴とする、アングルコネクタ。
【請求項５】
請求項１〜４のいずれか１項に記載のアングルコネクタ（１００；２００）であって、前記アングルコネクタの前記自由端部（１２０、１３０；２２０、２３０）は、前記コーナー要素（１１０、２１０）と一体に接続されていることを特徴とする、アングルコネクタ。
【請求項６】
請求項２〜４のいずれか１項に記載のアングルコネクタ（３００）であって、前記コーナー要素（３１０）は、前記２つの垂直外面の反対側に位置する内側におけるマウント面（３１５）を特徴とすることができ、前記コーナー要素（３１０）に対向する端面（３２５、３３５）が、関連付けられた前記マウント面（３１５）上に設置されるように設計されている、２つの自由端部ピース（３２０、３３０）が設けられ、前記コーナー要素（３１０）を関連付けられた前記自由端部ピース（３２０、３３０）と接続する固定要素（３１６；３２６、３３６）が設けられることを特徴とする、アングルコネクタ。
【請求項７】
請求項６に記載のアングルコネクタ（３００）であって、前記マウント面（３１５）は、前記端面（３２５、３３５）を形状嵌合により一体化のためのキャビティを形成することを特徴とする、アングルコネクタ。
【請求項８】
請求項１〜７のいずれか１項に記載のアングルコネクタであって、前記２つの垂直の外面に設けられる前記形材要素（１１１、１１２；２１１、２１２）は、形材壁面（１１１；２１１）と、凹部（１１３；２１３）を伴って中央に配置されるスロット（１１２；２１２）とを特徴とし、前記垂直の形材壁面（１１１；２１１）は、前記コーナー要素（１１０；２１０）の隅縁部（５７）において合わさるようになっていることを特徴とする、アングルコネクタ。
【発明の詳細な説明】
【技術分野】
【０００１】
本発明は、支持形材（supporting profiles）のそれぞれのキャビティに挿入される、互いに対して垂直に整合される２つの自由端部を有するアングルコネクタ（angle connector）であって、アングルコネクタの各自由端部には、固定の受動手段(a passive means of fixation)が設けられ、その手段を介して、支持形材の１つの外面から、アングルコネクタのそれぞれの端部を相補的な能動固定要素により、関連付けられた支持形材に脱着可能に接続することができる、アングルコネクタに関する。
【背景技術】
【０００２】
特許文献１から、留め継ぎされる支持形材の関連付けられたキャビティに、自由端部が挿入されるＬ字形アングルコネクタが知られている。支持形材のそれぞれには、Ｌ字形コネクタの自由端部を収納するそれぞれのキャビティが設けられる。互いに対して垂直に接続されることになる２つの支持形材のそれぞれの内側には、それぞれのねじ穴が設けられ、このねじ穴を通して、ねじが、Ｌ字形コネクタのそれぞれの対応する相補的な孔にねじ込まれる。その結果として、支持形材の前側の形材壁を、隅部において互いに突き合わせ接合することができる。
【０００３】
特許文献２から、２つのＬ字形プレートが、２つの支持形材の相補的な溝に挿入される、類似の適用形態が知られている。
【先行技術文献】
【特許文献】
【０００４】
【特許文献１】独国実用新案第２０２０１４００１２７８号
【特許文献２】国際公開第２０１６／０２７１７５号
【発明の概要】
【発明が解決しようとする課題】
【０００５】
この従来技術から出発して(departing from)、本発明の課題は、支持形材の改善されたコーナーコネクタを提供することである。この改善は、より僅かな回転を必要とする、相補的な固定要素としてのねじの操作からなることができる。この改善は、支持形材を単に接続することに加えて、さらに、支持形材を互いに対して締め付けることからなることができる。最後に、本発明による装置の１つの利点は、形材コネクタをモジュール式に構成することができ、最終的にコネクタを容易に予め組み立てることができることにある。同時に、このコネクタは、コーナー要素により、隅部において２つの当接する支持形材の完全な機能性を担うことができる。
【課題を解決するための手段】
【０００６】
本発明によれば、コーナー要素は互いに対して垂直に整合される自由端部間に設けられ、形材要素は、互いに対して垂直に配置される該形材要素の２つの外面に配される支持形材と適合し、コーナー要素の関連付けられた表面の高さまでそれぞれ到達する。
【０００７】
コーナー要素を越えて延在する部分におけるアングルコネクタの自由端部は、支持形材の関連付けられた自由端部における相補的な凹部に、形状嵌合による一体化のための（for form-fitting absorption）直方形の外形を有する本体を特徴とすることができる。
【０００８】
このような場合において、アングルコネクタの少なくとも１つの自由端部は、円筒マントルにおける円錐キャビティを特徴とする直方形の本体を越えて延在するボルトの形態の受動固定手段を特徴とする場合が有利である。ボルトは、ボルトを収納する横断ボアと、スリーブを支持形材に取り付けるためのスリーブの自由端部における雌ねじ部とを有するスリーブと関連付けられる。これにより、支持形材を、雌ねじ部にねじ込むことができる円錐端部を有する係止ねじによって、コーナー要素に対して締め付けることが可能になる。その結果として、コーナーコネクタが支持形材に接続されるだけでなく、２つの要素が、外面が互いに当接するように支持形材の方向に対して縦方向に相互係止する。
【０００９】
１つの代替形態において、アングルコネクタの少なくとも１つの自由端部は、それぞれの支持形材に構成される係止部と関連付けられた直方形の本体における凹部を伴う、係止スロットの形態の固定の受動手段である。係止部は、例えば欧州特許出願公開第０８７１８２４号によるように、係止部のアクチュエーターによって、凹部に係合する係止フックを後方に引くことができ、支持形材をコーナー要素に対して締め付けることができるように実施することができる。２つの要素を突き合わせ接続部において互いに対して縦方向に同様に相互係止する、この係止機構のより複雑な構成では、完全回転に達しない量だけ相互係止ボタンを回転させることによる素早い係止が可能である。一方、より単純なスリーブによる解決策は、通例、複数回の完全回転によるねじ頭部の駆動を必要とする。
【００１０】
アングルコネクタの自由端部は、例えば溶接によって、コーナー要素に一体に接続することができる。
【００１１】
コーナー要素は、２つの垂直外面の反対側に位置する内面におけるマウント面を特徴とすることができる。このために、コーナー要素の向かい側に配置される端面が、関連付けられたマウント面上に設置されるように設計されている、２つの自由端部ピースが設けられる。さらに、コーナー要素を関連付けられた自由端部ピースと接続するために、固定要素が設けられる。
【００１２】
この場合、マウント面は、端面を形状嵌合により一体化するキャビティを形成することが有利である。
【００１３】
２つの垂直外面に設けられる形材要素は、形材壁面と、凹部を伴う中央に配置されるスロットとを形成し、垂直な形材壁面が、コーナー要素の隅縁部において合わさるようになっている。結果として、それぞれの端面がコーナー要素に統合され、それにより、必要な場合に従来技術よりも容易に取り替えることができる、より単純かつより頑強な「コーナー」がもたらされる。
【００１４】
更なる実施形態は、従属請求項に記載されている。
【００１５】
以下、単に明確さのためのものであり、限定的に解釈されるべきでない図面に基づき、本発明の好ましい実施形態を記載する。
【図面の簡単な説明】
【００１６】
【図１】図１は、本発明の第１の例示的な実施形態による形材コネクタの斜視図である。
【図２】図２は、一部を断面図で示すとともに一部を分解図で示す、２つの形材を伴う図１の形材コネクタの斜視図である。
【図３】図３は、本発明の第２の例示的な実施形態による形材コネクタの斜視図である。
【図４】図４は、一部を断面図で示すとともに一部を分解図で示す、２つの形材を伴う図３の形材コネクタの斜視図である。
【図５】図５は、本発明の第３の例示的な実施形態による形材コネクタのコーナー要素の斜視図である。
【図６】図６は、図５のコーナー要素の異なる方向からの斜視図である。
【図７】図７は、本発明の第３の例示的な実施形態による形材コネクタの第１の例示的な実施形態のコーナー要素の斜視図である。
【図８】図８は、図７の接続アームの異なる方向からの斜視図である。
【図９】図９は、本発明の第３の例示的な実施形態による接続アームの第２の例示的な実施形態の斜視図である。
【図１０】図１０は、図９の接続アームの異なる方向からの斜視図である。
【発明を実施するための形態】
【００１７】
図１は、本発明の第１の例示的な実施形態による形材コネクタ１００の斜視図を示している。
【００１８】
形材コネクタ１００は、コーナー要素１１０と、第１の接続アーム１２０と、第２の接続アーム１３０とからなる。図１の例示的な実施形態において、これらの接続アーム１２０及び１３０は、コーナー要素１１０と一体に接続され、コーナー要素１１０の自由端部を形成する。
【００１９】
コーナー要素１１０は、中央に配置される形材スロット１１２によって分離される形材壁１１１の部分を特徴とする。これらの形材壁１１１は、コーナー要素１１０の隅部において互いに垂直に当接する。形材スロット１１２の後方には、中央本体１１４のコーナー要素部分においてスロットの後壁５２の前方で終端する横凹部１１３が設けられる。スロット１１２には、他の形材又は追加の要素をフランジ接続するために、係止部が係合する凹部１１３が設けられる。この側において、コーナー要素１１０の中央本体１１４の下方に、中央本体１１４におけるより小さな凹部１１９を有するスロット１１８が存在する。同時に、形材のこのＬ字形突出部１９の反対側に、更なる小さな凹部が存在するが、この凹部は、形材壁１１１の前縁部又は後縁部から横方向に凹んでいる。
【００２０】
上述したように、第２の接続アーム１３０は、コーナー要素１１０の表面５５に一体に接続される。接続アーム１３０は、スロットの後壁５２から引っ込んでおり、したがって棚状部５１を形成する。図２に関して後述するように、支持形材２０において、形材壁２１及びスロット２２の同様の設計の接続部を、この形材壁１１１及びこのスロット１１２に対応するように設置することができる。支持形材２０の反対側の最も内方の部分は、縁部５６に近接して、好ましくは縁部５６に当接して配置される。
【００２１】
第１の接続アーム１２０は、断面において、第２の接続アーム１３０と同様にＨ字形の壁、特に、中間壁１３７によって間を接続されている２つの対向する側壁１３４を本質的に有する。中間壁１３７には、キャビティ１３９の反対側で終端する連続的な横断ねじ穴１３６を特徴とするスリーブが設けられる。
【００２２】
コーナー要素１１０の反対側の自由端部において、端面１３１を有する係止スロットが設けられ、端面１３１は、この端面を分断する形材スロット１３２から分離している。形材スロットは、端面１３１の後方で横凹部１３３に拡大する。
【００２３】
図１に見ることができるように、第２の接続アーム１３０に対して垂直に配置される第１の接続アーム１２０は、第２の接続アーム１３０と全く同じように設置されるが、ただし、第１の接続アーム１２０は、コーナー要素１１０の他方の自由内面に設置され、この自由内面に一体に接続される。接続は、図５〜図１０に示される個々の構成要素の接着又は溶接によるものとすることができる。図２に示されている支持形材１０は、ここでも他方の支持形材２０に単に接触することができるように縁部５６に当接することが重要である。したがって、移行部は、支持形材１０及び２０が隅部において互いに距離を置かない範囲で、この縁部において実現される。
【００２４】
図２は、一部を断面図で示すとともに一部を分解図で示す、２つの形材、すなわち水平支持形材１０及び鉛直支持形材２０を伴う図１の形材コネクタ１００の斜視図を記載している。同一の特徴部は、全ての図面において同じ参照符号で示されている。特に、類似の例示的な実施形態による類似の特徴部は、機能の類似性を示唆する類似の参照符号で示されている。
【００２５】
第２の接続アーム１３０上の棚状部５１に言及するが、ここで、鉛直形材２０が第２の接続アーム１３０上に移動される場合、鉛直形材２０には第２の接続アーム１３０のための孔が設けられており、スロットの後壁５２は、第２の接続アーム１３０の前壁の直前に摺動し、特に、第２の接続アーム１３０を包囲する他の構成要素と形状嵌合する。
【００２６】
形材壁２１及び中央に配置される形材スロット２２は、コーナー要素１３０のそれぞれの形材壁１１１及び形材スロット１１２にも直接接触させられ、支持形材２０の機能のために、コーナー要素１３０の移行部まで継ぎ目なく移行し、端部までコーナー要素１３０に入る(take in)ようになっている。
【００２７】
水平支持形材１０を参照してその部分断面に言及するが、水平支持形材１０は、他の点では鉛直形材２０と同じ要素を特徴とする。特に、中央本体２４を通る横断ボア２６が設けられており、ここで、偏心係止ヘッド４４が面一になっているか又は僅かに突出している。
【００２８】
作動されることになる偏心係止ヘッド４４を伴う係止部４０は、従来技術から既知である多くの係止部のうちの１つ、特に、欧州特許出願公開第０８７１８２４号に従って作製される本出願人による係止部とすることができる。これらの係止部は、偏心係止ヘッドを回転させることでスロット１３２に挿入されるとともに凹部１３３に掛止されるラッチであって、これらの掛止要素の軽い引張力によって、取り付けられることになる１つの形材の方向に接続アーム１３０を引っ張るラッチを備える。
【００２９】
図１の接続アーム１００の使用の例示的な実施形態において、２つの形材１０及び２０は、中央本体２４における相補的な孔によって第１の接続アーム１２０及び第２の接続アーム１３０の自由端部に取り付けられ、形材１０及び２０に使用されている係止部４０の係止要素がスロット１３２に滑り込むまで前進される。係止部のタイプに応じた回転により偏心ヘッド４４を作動させることで、係止部がスロット１３２に係止され、それぞれの支持形材がＬ字形コーナーコネクタ１００と固定接続される。
【００３０】
図３は、本発明の第２の例示的な実施形態による形材コネクタ２００の斜視図を示しており、図４は、図２と同様に、すなわち一部を断面図で示すとともに一部を分解図で示す、２つの形材１０及び２０を伴う図３の形材コネクタ２００の斜視図を示している。コーナー要素２１０において、形材コネクタ２００は、第１の例示的な実施形態のコーナー要素１１０と同じ特徴を有する。２つの接続アーム２２０及び２３０は、同じようにコーナー要素２１０と一体に接続されている。これらの接続アーム２２０及び２３０もまた、断面において、２つの対向側面２３４及び中間壁２３７を有するＨ字形の中央本体を特徴とする。
【００３１】
重要な違いは、端面２３１の設計にあり、端面２３１から、円錐キャビティ２３３を１つの側面に有するボルト又はピン２３２がそれぞれ突出している。この円錐キャビティ２３３は、Ｌ字形スロット２１２の構成に対して垂直に、すなわち、特に横断ねじ穴２３６の軸に対しても垂直に配置される。形材１０及び２０を取り付けるために、使用されることになるそれぞれの形材１０及び２０における横断ボア２６とともに、スリーブ３０を使用しなければならず、このスリーブ３０は、支持形材１０、２０の中央本体２４の反対側に配置されるスナップリング３６を設置することができる、スリーブの端部のうちの一方における溝３７を特徴とする。図面において前側に存在するものに関して、フランジ３２には、垂直整合スロット３３が設けられる。整合スロット３３は、スリーブ３０におけるボア３１の軸に対して平行に配置される。スリーブ３０をボア２６に滑り込ませる際、整合スロット３３の位置により、鉛直形材２０に対して、ボルト２３２をこの横断ボアに挿通させることができるようにボア３１が鉛直に整合されることを確実にすることができる。キャビティ２３３は、おおよそスリーブ３０の内部ボアの高さにあり、ソケットねじ３４をねじ込むことによって、第２の形材２０を形材コネクタ２００に取り付けることができるようになっている。ねじ込まれることになるソケットねじ頭部３４の先端の円錐テーパー部３５は、ここではキャビティ２３３におけるセンタリング要素として機能する。
【００３２】
同じ取付けプロセスを、水平形材１０に用いることができる。
【００３３】
例示的な実施形態の画像が示されていない場合でも、コーナー要素１１０／２１０の一方の側面においてボルトコネクタ２２０又は２３０が設けられ、他方の側面及び他方の自由端部において係止コネクタ１２０又は１３０が設けられる、Ｌ字形アングルコネクタを示唆することができることは明らかである。これにより、特に、第１の支持形材の２つの対向自由端部において、ボルトコネクタ端部２２０、２３０が形材２０の中央本体に挿入され、ソケットねじ３４のそれぞれのねじの回転によって締め付けられるように形材１０及び２０を予め固定することが可能になる。これらのコネクタは、係止端部を有する接続アームが、形材２０の２つの自由端部において形材２０から垂直に突出するように、スリーブ３０とスナップリング３６とソケットねじ３４とのみからなるので、技術的により単純である。したがって、係止部４０が組み込まれた形材１０を、停止部まで２つの対向側面に滑り込ませることができ、これらの形材１０を、偏心係止ヘッド４４の適度の回転によってコーナー要素に対して締め付けることができるようになっている。
【００３４】
図５は、本発明の第３の例示的な実施形態による形材コネクタのコーナー要素３１０の斜視図を示している。このコーナー要素３１０は、図１〜図４の自由端部を提供する接続アームとともに使用しなければならない。特に、設けられる接続アームは、図７又は図９のものとすることができる。形材壁３１１は、Ｌ字形であり、コーナーコネクタ３１０の中央本体３１４の２つの側面を囲む。この形材壁３１１は、中央部において、凹部３１３を伴う形材スロット３１２から分離している。スロット３１２は、受けキャビティ３１５がそこに設けられることが有利であるコーナー要素３１０の側壁において終端する。受けキャビティ３１５は、縁面３５１が形材スロット３１２の向かい側に延在するように、側壁において形材スロット３１２の方向に構成される。設置されることになる形材１０又は２０の中央本体２４の後壁は、この縁面３５１に押し当てられる。
【００３５】
コーナーコネクタの前述の例示的な実施形態と同様に、凹部３１９を伴う横方向スロット３１８が存在し、中央本体３１４は、中間壁３１７が側壁間の中央部に立てられているので、断面において（例えば、この組又は上記組のねじ穴３１６によって形成される平面において）それぞれのＨ字形を特徴とする。２つのねじ穴３１６が、受けキャビティ３１５の中央部に横方向に並んで構成されることが有利である。他の例示的な実施形態において、これらの穴は、縦方向に構成することもできる。通常は、２つの穴が設けられる。
【００３６】
縁面３５１を含む受けキャビティ３１５の縁部は、コーナーコネクタの自由端部が支持形材１０及び２０の壁によって囲まれる、支持形材１０及び２０における凹部の寸法を規定することが有利である。
【００３７】
図６は、図５のコーナー要素３１０の異なる方向からの斜視図を示しており、ここでは、本体３１４の内側の内部空間の向かい側のねじ穴３１６が、それぞれのねじがより長い係合長さで係合する強化部を有することを見て取ることができる。内部キャビティの空間が中間壁３１７によって分断されているため、１つのねじ穴３１６しか見ることができない。
【００３８】
図７は、コーナー要素３１０と組み合わせて使用することができる、本発明の第３の例示的な実施形態による形材コネクタの接続アーム３２０の第１の例示的な実施形態の斜視図を示している。図８は、図７の接続アーム３２０の異なる方向からの斜視図を更に示している。接続アーム３２０の外形は、直方形である。端面のうちの一方は、マウント面３２５としてのより長い辺長の端部において、接続アーム３２０における２つの貫通孔３２６がコーナー要素３１０のねじ穴３１６の向かい側に配置されるように、受けキャビティ３１５に挿入される。したがって、中央に配置される分断壁３２７の両側において、ねじをボア３２６に挿入することができ、それにより、接続アーム３２０を、係止部を用いるようにコーナー要素３１０に接続することができる。
【００３９】
一方で、２つの対向側面３２４は、分断壁３２７に接続され、他方で、ボア３４６が設けられるスリーブによって接続されている。最初の複数の図の例示的な実施形態におけるように、マウント面３２５の反対側の側面、すなわちコーナー要素３１０の方向の向かい側の側面には、形材壁３２１が設けられ、形材壁３２１の間には、凹部３２３によって拡大する形材スロット３２２が延在する。形材スロット３２２とねじ穴３４６とは、互いに対して平行に位置合わせされる。この場合、要素の自由端部は、形材１０又は２０に設けられる係止部４０に対応して接続しなければならない。
【００４０】
図９は、本発明の第３の例示的な実施形態による形材コネクタの接続アーム３３０の例示的な実施形態の斜視図を示しており、マウント面３３５は、受けキャビティ３１５に挿入されるように意図されており、コネクタ３３０を固定するために、ねじをボア３３６に通してコーナー要素３１０に挿入することができるようになっている。図１０は、図９の接続アームの異なる方向からの斜視図を示している。ここでも、２つの側壁３３４は、ボア３４６を有するスリーブによって分離されている。ピン３３２が、面３３５の反対側の形材壁３３１の表面に配置され、キャビティ３３３が、ピン３３２の外側マントルにおいて横方向に構成される。
【００４１】
全ての自由端部コネクタ３２０、３３０は、図９及び図１０の例示的な実施形態では３３１及び３３５である対向端面の、直方体の縦方向における４つの縦断溝又はスロット３４７を特徴とする。一体的なコーナーコネクタ１２０、１３０、２２０、２３０において、スロット３４７は、自由端面１３１、２３１にのみ設けられる。これらのスロット３４７は、スロット３４７を通る支持形材１０、２０のそれぞれのリブのガイドとしての役割を果たすことができる。
【符号の説明】
【００４２】
１０  水平形材
１９  形材突出部
２０  鉛直形材
２１  形材壁
２２  形材スロット
２３  凹部
２４  中央本体
２６  横断ボア
２８  形材スロット
２９  凹部
３０  スリーブ
３１  ボア
３２  フランジ
３３  整合スロット
３４  ソケットねじ
３５  円錐端部
３６  スナップリング
３７  溝
４０  係止部
４４  偏心係止ヘッド
５１  棚状部
５２  スロットの後壁
５５  表面
５６  内縁部
５７  隅縁部
１００  形材コネクタ
１１０  コーナー要素
１１１  形材壁
１１２  形材スロット
１１３  凹部
１１４  中央本体
１１５  受けキャビティ
１１６  ねじ穴
１１７  中間壁
１１８  形材スロット
１１９  凹部
１２０  第１の接続アーム
１３０  第２の接続アーム
１３１  端面
１３２  形材スロット
１３３  凹部
１３４  側壁
１３６  横断ねじ穴
１３７  中間壁
１３９  キャビティ
２００  形材コネクタ
２１０  コーナー要素
２１１  形材壁
２１２  形材スロット
２１３  凹部
２１４  中央本体
２１５  受けキャビティ
２１６  ねじ穴
２１７  中間壁
２１８  形材スロット
２１９  凹部
２２０  第１の接続アーム
２３０  第２の接続アーム
２３１  端面
２３２  ボルト
２３３  キャビティ
２３４  側壁
２３６  横断ねじ穴
２３７  中間壁
３１０  コーナー要素
３１１  形材壁
３１２  形材スロット
３１３  凹部
３１４  中央本体
３１５  受けキャビティ
３１６  ねじ穴
３１７  中間壁
３１８  形材スロット
３１９  凹部
３２０  係止用接続アーム
３２１  形材壁
３２２  形材スロット
３２３  凹部
３２４  中央本体
３２５  マウント面
３２６  ボア
３２７  中間壁
３３０  ねじ係止用接続アーム
３３１  形材壁
３３２  ボルト
３３３  キャビティ
３３４  中央本体
３３５  マウント面
３３６  ボア
３３７  中間壁
３４６  ねじボア
３４７  スロット
３５１  縁面
【図１】
2019032076.tif 000003
【図２】
2019032076.tif 000004
【図３】
2019032076.tif 000005
【図４】
2019032076.tif 000006
【図５】
2019032076.tif 000007
【図６】
2019032076.tif 000008
【図７】
2019032076.tif 000009
【図８】
2019032076.tif 000010
【図９】
2019032076.tif 000011
【図１０】
2019032076.tif 000012
【外国語明細書】
2019032076000001.pdf